(57)【要約】【課題】ノートパソコンなどの発熱機器の下側に設置して、発熱機器を良好に冷却することで、温度上昇を抑制する。【解決手段】袋体１と、この袋体に封入した吸熱ゲル２とで平板状の冷却マットＡを形成し、この冷却マットの周縁に上記冷却マットの上面と発熱機器の下面との接触を阻害しないような放熱材質の縁枠Ｂを設け、また上記縁枠の下面に上記冷却マットの下面に接触する放熱材質の底板５を設けて、発熱機器を有効に冷却すると共に、温度上昇を抑制する。【選択図】図３
2010257236.tif 000002
【特許請求の範囲】
【請求項１】
袋体と、この袋体に封入した吸熱ゲルとで平板状の冷却マットを形成し、この冷却マットの周縁に上記冷却マットの上面と発熱機器の下面との接触を阻害しないような放熱材質の縁枠を設け、また上記縁枠の下面に上記冷却マットの下面に接触する放熱材質の底板を設けたことを特徴とする冷却台。
【請求項２】
前記縁枠或いは底板の少なくとも片方の下面に載置面に対する空隙形成用の脚を設けたことを特徴とする請求項１に記載の冷却台。
【発明の詳細な説明】
【技術分野】
【０００１】
この発明は、ノートパソコンなどの発熱機器の冷却台に関する。
【背景技術】
【０００２】
パソコンは、その使用中に演算機能を発揮するＣＰＵや記憶装置のハードディスク、電源部分などが発熱し、この発熱を使用可能な温度範囲まで冷却する必要がある。
【０００３】
この発熱は、電源部の発熱以外に、ＣＰＵが高性能になったり、ハードディスクの記録密度が高くなり、回転速度が速くなればそれに伴って発熱量が増加することなどにより起因する。
【０００４】
そこで、発熱機器のノートパソコンの熱を吸収する冷却手段として色々提案がされている（例えば、特許文献１、特許文献２及び特許文献３）。
【先行技術文献】
【特許文献】
【０００５】
【特許文献１】ＷＯ２００５／０６６７４０号公報
【特許文献２】特開２００７−６５８５１号公報
【特許文献３】登録実用新案第３１１６４６７号公報
【発明の概要】
【発明が解決しようとする課題】
【０００６】
ところで、特許文献１の冷却用パッドは、ノートパソコンなどの発熱機器の底面に直近の金属製の伝熱板を接触させて、その熱を伝熱板から下側の吸熱ゲル体に伝わるようにしてある。
【０００７】
このような方式によると、機器の熱の影響を受けて伝熱板が歪み、歪みにともない変形するので、伝熱板の下面全部が吸熱ゲル体に接触しない。
【０００８】
このため、吸熱効率が１００％発揮できず、機器の温度上昇を抑制するのに問題があった。
【０００９】
特に全体を樹脂製の袋で包装してあるので、伝熱板に伝わった熱を放熱することができない、すなわち、吸熱した熱が袋内に隠る問題がある。
【００１０】
また、特許文献２の通風隙間形成用シートによると、発熱機器側となる面及びシートの側面に通気口を設けると共に、シートの内方に通気口につながる通風路を形成したもので、放熱を強制するものではない。このため、吸熱効率を有効に助長できない問題があった。
【００１１】
さらに、特許文献３のノートパソコン用冷却台によると、冷却台の冷却材として、パーライトにパラフィンを担持させてなる複合組成物を備え、更に冷却材をアルミラミネートフィルム製の袋に充填したもので、冷却材に吸熱した発熱機器の熱を有効に放熱する手段がない。
【００１２】
そこで、この発明は、発熱機器の冷却台に吸熱した熱を極めて良好に放熱するようにした冷却台を提供することにある。
【課題を解決するための手段】
【００１３】
上記のような課題を解決するため、この発明は、袋体と、この袋体に封入した吸熱ゲルとで平板状の冷却マットを形成し、この冷却マットの周縁に上記冷却マットの上面と発熱機器の下面との接触を阻害しないような放熱材質の縁枠を設け、また上記縁枠の下面に上記冷却マットの下面に接触する放熱材質の底板を設けた冷却台である。
【００１４】
また、前記縁枠或いは底板の少なくとも片方の下面に載置面に対する空隙形成用の脚を設けた構成を採用することもある。
【発明の効果】
【００１５】
以上のように、この発明の発熱機器の冷却台によれば、デスク上の冷却台にノートパソコンなどの発熱機器を載置することにより、発熱機器の熱を冷却マットを構成する吸熱ゲルで吸熱するので、発熱機器の動作が安定すると共に、冷却マットの周縁に放熱材質の縁枠が、冷却マットの下面に放熱材質の底板が設けてあるので、冷却マットの昇温を有効に放熱し続けて、冷却マットの冷却機能を効率よく持続する特有の効果がある。
【００１６】
特に、冷却マットの周縁に縁枠を設ける際、冷却マットの上面と発熱機器の下面との接触を阻害しないようにしてあるので、発熱機器の発熱を冷却マットの上面全体に伝達して吸熱効率を向上させることができる。
【００１７】
また、縁枠或いは底板の少なくとも片方の下面に脚を設けてあるので、載置した冷却台（縁枠や底板）とデスクとの間に間隙ができ、この問題が放熱の通路となって有効に放熱することができる。
【図面の簡単な説明】
【００１８】
【図１】この発明の冷却台を示す斜視図である。
【図２】冷却台を下から見た斜視図である。
【図３】同上の縦断拡大正面図である。
【図４】冷却マットの縦断拡大正面図である。
【発明を実施するための形態】
【００１９】
この発明の実施形態では、図１、図２、図３に示すように、Ａは袋体１と、この袋体１に封入した吸熱ゲル２とで平板状に構成した冷却マットである。
【００２０】
上記の袋体１は、柔軟性に富んで、袋体１の上面全体がノートパソコンなどの発熱機器Ｘの下面全体に接する材質を用い、例えば図４に示すように、内側に熱封止の熱溶着性にすぐれたポリエチレンフイルム１１を、中間に熱吸収を目的としたアルミシート１２を、外側に柔軟性に富んだ（発熱機器Ｘの下面に密接しやすい）ポリエステルフイルム１３の三層構造の上下二枚のシートの重なり全辺縁を熱封止して構成したが、限定されず、上記目的を達成する他のシートであってもよい。
【００２１】
上記の吸熱ゲル２としては、例えば、水、イソブチレン、無水マレイン酸共重合物のナトリウム塩架橋物、架橋ポリアクリル酸ソーダや、硫酸ナトリウム水溶液とシリカ微粉末とエタノールなどの混合物からなる。
【００２２】
また、上記冷却マットＡの周縁には、冷却マットＡの上面と発熱機器Ｘの下面との接触を阻害しないような放熱材質の縁枠Ｂが設けてある。
【００２３】
上記縁枠Ｂとしては、内側面が開放する溝形の縁材４が周囲四辺に位置するようにして、縁材４の内側面の開口から内方に袋体１の辺縁熱封止部分を嵌入して、袋体１の上面が縁材４の上面に対し上方にはみ出して、袋体１の上面に対する発熱機器Ｘの下面全体の良好な接触を保障するようにしてある。
【００２４】
さらに、袋体１の下側には、袋体１の下面に上面を重ね合わせた放熱材質の底板５が設けてある。上記底板５は、各辺縁部分を縁材４の下辺内側に嵌入して保持させてある。
【００２５】
上記放熱材質の縁材４及び底板５としては、例えばアルミを使用したが、同目的の他の材質であってもよい。
【００２６】
また、縁枠Ｂ或いは底板５の少なくとも片方の下面には、載置面（デスク）Ｙに対する空隙形成用の脚６が設けてある。
【００２７】
上記の脚６は、図示の場合、縁枠Ｂの下面点在位置に設けたが、限定されず、底板５の下面のみ、或いは縁枠Ｂと底板５の両方に設けることもでき、取り付けも接着剤などを用いる。
【００２８】
上記のように構成すると、ノートパソコンなどの発熱機器Ｘの熱は、冷却マットＡに吸収されて冷却し、冷却マットＡに吸収された熱は、縁枠Ｂ及び底板５により有効に放熱され、しかも脚６によりデスクＹと縁枠Ｂ及び底板５との間に間隙を形成しているので、放熱を助長することになる。
【００２９】
このため、従来の冷却方式と異なり冷却マットＡの昇温が著しく軽減され、発熱機器Ｘに悪影響を与えない利点がある。
【産業上の利用可能性】
【００３０】
冷却マットに吸熱した熱を有効に放熱するノートパソコンなどの発熱機器の冷却台を提供する。
【符号の説明】
【００３１】
Ｘ  発熱機器
Ｙ  デスク
Ａ  冷却マット
Ｂ  縁枠
１  袋体
２  吸熱ゲル
４  縁材
５  底板
６  脚
【図１】
2010257236.tif 000003
【図２】
2010257236.tif 000004
【図３】
2010257236.tif 000005
【図４】
2010257236.tif 000006